(57)【特許請求の範囲】
【請求項１】
少なくともその外周の一部が所定の長さに亘って機械的構造物である２つの支持体の間に把持されて固定される回路基板であって、
前記支持体により把持される当該回路基板上の把持領域の外周の一部に沿って貫通孔たるスリットを有し、
前記スリットは、当該スリットの外周の一部が、所定の長さに亘って前記把持領域の外周に接する位置に形成されて、前記把持領域に発生する応力を低減する、
回路基板。
【請求項２】
電源のグランド端子に電気的に接続されるべきグランドパターンを有し、
前記グランドパターンの全部または一部は、前記把持領域に重なって前記支持体の少なくとも一方の導電体たる支持体と接触することにより前記電源のグランド端子に電気的に接続される、
請求項１に記載の回路基板。
【請求項３】
前記スリットは、前記２つの支持体を互いに締結して前記把持領域を加圧する締結部に最も近い前記把持領域の外周部分に接するように形成されている、
請求項１又は２に記載の回路基板。
【請求項４】
平面視が多角形であり、
前記多角形を構成する少なくとも一つの角部にスリットを有する、
請求項１ないし３のいずれか一項に記載された回路基板。
【請求項５】
前記スリットの形状は、矩形、長円、又はＬ字形状である、
請求項１ないし４のいずれか一項に記載の回路基板。
【請求項６】
請求項１ないし５のいずれか一項に記載された回路基板と、前記回路基板を収容する筐体と、を備える制御装置であって、
前記筐体は導電性部材で構成されており、
前記支持体は前記筐体の一部である、
制御装置。
【請求項７】
前記制御装置は、車両に搭載されて当該車両の動作を制御する制御装置であって、
前記筐体は、前記車両の車体に固定され、前記車体を介して前記車両に搭載された電源のグランド端子に電気的に接続される、
請求項６に記載の制御装置。
【発明の詳細な説明】
【技術分野】
【０００１】
本発明は、機械的構造物により把持され固定される回路基板に関し、特に、熱膨張等に伴って発生する上記把持された部分の摩耗を抑制することのできる回路基板、及び当該回路基板を用いた装置に関する。
【背景技術】
【０００２】
一般に、電子回路を用いる装置では、電気部品が搭載された回路基板を筐体内に収容し、筐体内に設けられた内部コネクタを介して、筐体外から引き込んだ電源ラインや通信ラインと回路基板との接続が行われる。
【０００３】
通常、このような内部コネクタとしては、複数の電極を備えた多芯コネクタが用いられ、内部コネクタに求められる電極の数は、電子回路の高機能化に伴う処理情報の増大と共に増加する。一方で、装置の小型化の要求は不変であり、コネクタサイズの増大を招くことなく電極数を増加させるため、各電極の幅が縮小される。その結果、電子回路を用いる装置では、使用される内部コネクタの電極幅は１ｍｍ未満であることが多い。
【０００４】
ところで、電子回路における動作の安定性の面からは、回路基板の設けられるグランドパターンと電源からのグランドラインとの接続箇所における接触面積は、できるだけ広いことが望ましい。このため、上記のような１ｍｍ未満の電極幅を持つ多芯コネクタを用いてグランドラインを接続する場合には、グランドラインとの接触面積を確保すべく、多数の電極が使用される。しかしながら、コネクタサイズの増大を招かないように、限られた電極数の中で情報伝送に必要な電極数を確保しつつグランドライン接続のための電極数の数を増やすことは、回路設計の観点からは大きな困難を伴う。
【０００５】
また、車両の動作を制御する電子制御装置（ＥＣＵ、Electronic Control Unit）のように、エンジン等からの大きな放射電磁雑音に晒される制御装置においては、グランドライン接続における接触面積は特に広く設ける必要があり、電極幅の狭い電極を多数用いるだけでは、放射雑音の影響を十分に回避することは困難となる。
【０００６】
この場合、例えば、電源のグランドを筐体に接続し、回路基板のグランドパターンと筐体との間に幅の広い導体板等を設け、当該導体板を回路基板と筐体とにそれぞれハンダ付けして固定する方法が考えられる。しかしながら、導体板をハンダ付けする構成では、筐体から回路基板を着脱することができないことから、回路基板上の電子回路の保守が困難になるという不都合が生ずる。
【０００７】
このような不都合を回避する方法として、電源のグランドに接続された筐体内の２つの機械的構造物により回路基板のグランドパターン部分を挟み込んで、回路基板を固定すると共にグランドパターンと電源からのグランドラインとの電気的接続を行う構成が知られている。このような構成は、例えば、筐体内に設けられた二つの導体の間に回路基板のグランドパターン部分を挟み、当該二つの導体を連結するネジを締めることにより、当該グランドパターン部分と当該導体とを加圧接触させて構成することができる。
【０００８】
上記のような、グランドパターン部分を挟み込む方法は、グランドライン接続部分の接触面積を広くとることができ、かつ、上記ネジを緩めることにより筐体から回路基板を着脱することも可能となるので、上記不都合を解消することができる。
【０００９】
しかしながら、回路基板に通常用いられるガラスエポキシ樹脂は、導体板として通常用いられる金属とは異なる線膨張係数を持つことから、環境温度の変動や、装置のオン／オフに伴う電子回路部品の発熱／冷却に起因した筐体内部温度の上昇／下降により、回路基板のグランドパターンと導体板との間に相対的な位置ずれが生じて両者が摺動し、グランドパターンを構成する金属薄膜に摩耗が生じやすい。
【００１０】
このような摩耗は、グランドラインの接続不良を生じさせると共に金属粉を生じさせ、例えば、当該金属粉が回路基板上の回路パターン間にブリッジ等を形成して、回路動作に重大な異常を引き起こす可能性もある。
【００１１】
金属粉の発生を回避すべく、上記のような２つの機械的構造物によりグランドパターンのない回路基板部分、すなわち、回路基板の基板素材部分のみを把持して固定し、上記構造物とは別にグランドラインを構成する個別の導体を設けて、当該導体と回路基板上のグランドパターンとを接触させるような構成を採ることもできる。
【００１２】
しかしながら、このような構成でも、回路基板等の温度変化があれば、上記構造物と基板素材との間の摺動により基板素材が摩耗することとなる。また、このような摩耗は、回路基板素材（絶縁物）の粉体を生じさせ、例えば、当該紛体が回路接点（例えば上記グランドパターンと上記導体との接点）に入り込んで接触不良を生じさせれば、回路動作に異常を発生させることとなる。
【００１３】
回路基板を把持する二つの構造物とグランドパターンあるいは回路基板素材との摺動は、当該構造物を連結するネジの締結力を増大して把持力を増大させることにより、ある程度回避することができる。しかしながら、ネジ締結力を増大した場合には、回路基板と構造物とが摺動することにより解放されていた応力が回路基板内に蓄積されることとなり、回路基板に亀裂等の機械的損傷を生じさせてしまう。
【００１４】
回路基板に発生する応力の緩和手段としては、これまで、ＢＧＡ等の多電極の表面実装部品を回路基板上に実装する場合について多くの開示がなされている。例えば、特許文献１には、ＢＧＡ等の面実装部品が実装される回路基板において、当該回路基板の表面又は裏面から外圧が印加されることにより、当該面実装部品と回路基板とのはんだ接合部分が破断するのを回避することを目的として、回路基板上の、前記面実装部品の実装領域の角部外側等に、Ｌ字形状等の貫通孔を設けることが記載されている。
【００１５】
また、特許文献２には、ＢＧＡ等のマトリクス形状に配置された端子を有する電子部品が搭載されるプリント配線板において、当該電子部品の角部端子との接合部における応力集中を効果的に低減することを目的として、当該電子部品の角部端子に対してはプリント配線板上に配線用ランドを設けず、当該角部端子に対向するプリント配線板上の位置に貫通孔又は非貫通孔を設けることが記載されている。
【００１６】
しかしながら、これらの特許文献に記載された技術は、回路基板上に搭載された実装部品と回路基板との間のハンダ溶融部分の破断を回避するための構成を与えるものであり、回路基板が二つの構造物の間に把持して固定されるという特殊な状況における回路基板の応力解放の手段を与えるものではない。
【先行技術文献】
【特許文献】
【００１７】
【特許文献１】特開２００５−３２２８４４号公報
【特許文献２】特開２０１２−９９７５１号公報
【発明の概要】
【発明が解決しようとする課題】
【００１８】
上記の背景から、２つの機械的構造物の間に把持されて固定される回路基板では、把持部分を摺動させようとする応力を低減して回路基板（回路パターン及び又は基板素材自体）の摩耗を回避することが課題となっている。
【課題を解決するための手段】
【００１９】
本発明は、機械的構造物である２つの支持体の間に把持されて固定される回路基板であって、前記支持体により把持される当該回路基板上の把持領域の外周の一部に沿って貫通孔たるスリットを有し、前記スリットは、当該スリットの外周の一部が、前記把持領域の外周に接する位置、又は、前記把持領域の外周から所定の距離範囲内となる位置、に形成されて、前記把持領域に発生する応力を低減する。
本発明の一の態様によると、前記回路基板は、電源のグランド端子に電気的に接続されるべきグランドパターンを有し、前記グランドパターンの全部または一部は、前記把持領域に重なって前記支持体の少なくとも一方の導電体たる支持体と接触することにより前記電源のグランド端子に電気的に接続される。
本発明の他の態様によると、前記スリットは、前記２つの支持体を互いに締結して前記把持領域を加圧する締結部に最も近い前記把持領域の外周部分に接するように形成されている。
本発明の他の態様によると、前記回路基板は、平面視が多角形であり、前記多角形を構成する少なくとも一つの角部にスリットを有する。
本発明の他の態様によると、前記スリットの形状は、矩形、長円、又はＬ字形状である。
また、本発明は、前記いずれかの回路基板と、前記回路基板を収容する筐体と、を備える制御装置であって、前記筐体は導電性部材で構成されており、前記支持体は前記筐体の一部を構成している。
本発明の他の態様によると、前記制御装置は、車両に搭載されて当該車両の動作を制御する制御装置であって、前記筐体は、前記車両の車体に固定され、前記車体を介して前記車両に搭載された電源のグランド端子に電気的に接続される。
【００２０】
本発明によれば、回路基板上の把持部分に発生する応力を当該回路基板に設けたスリットにより軽減し、当該応力に起因する、回路基板を把持する機械的構造物と当該回路基板（回路パターン及び又は基板素材自体）との摺動を抑制して、当該回路パターン又は基板素材そのものの摩耗を回避することができる。
【図面の簡単な説明】
【００２１】
【図１】本発明の一実施形態に係る回路基板を用いた制御装置の構成を示す図である。
【図２】本発明の一実施形態に係る回路基板の構成を示す図である。
【図３】本発明に従う回路基板に設けられるスリットの形状の例を示す図である。
【発明を実施するための形態】
【００２２】
以下、図面を参照して、本発明の実施の形態を説明する。なお、本実施形態では、一例として、車両に搭載されて当該車両の動作を制御する制御装置に用いられる回路基板を示しているが、本発明に係る回路基板は、本用途に限られるものではなく、車両制御を行う制御装置以外の、他の機械、機器等にも同様に適用し得る。
【００２３】
図１は、本発明の一実施形態に係る回路基板を用いた制御装置の構成を示す図である。図１Ａは本制御装置１の上面図であり、図１Ｂは図１Ａに示す制御装置１の断面を示すＳＳ矢視図である。
【００２４】
本制御装置１０は、車両に搭載され当該車両のエンジン制御を行う電子制御ユニット（ＥＣＵ、Electronic Control Unit）であり、ベース１００ａとカバー１００ｂとにより構成される筐体１００と、本発明の一実施形態に係る回路基板１０２とを有している（図１Ｂ）。ベース１００ａとカバー１００ｂとは、４つのネジ１０８ａ〜ｄにより互いに固定されて内部空洞を形成し、当該内部空洞内に回路基板１０２を収容する。
【００２５】
回路基板１０２は矩形の平板であり、その一の辺が、ベース１００ａの一部である支持部１０４ａ（図示斜線部分）とカバー１００ｂの一部である支持部１０４ｂ（図示斜線部分）との間に挟まれて把持されることにより固定され、かつ、一の辺に対向する他の辺が、ベース１００ａの一部である支持部１０６ａ（図示斜線部分）とカバー１００ｂの一部である支持部１０６ｂ（図示斜線部分）との間に挟まれて把持されることにより固定される。すなわち、支持部１０４ａ、ｂ及び１０６ａ、ｂは、回路基板を把持して固定する機械的構造物たる２つの支持体にそれぞれ対応する。
【００２６】
回路基板１０２は、ベース１００ａとカバー１００ｂとを固定するネジ１０８ａ〜ｂを締結することにより、支持部１０４ａと１０４ｂとの間及び１０６ａと１０６ｂとの間に加圧された状態で把持される。すなわち、ネジ１０８ａ〜ｄは、２つの支持体を互いに締結して当該支持体による回路基板上の把持領域を加圧する締結部である。
【００２７】
筐体１００は、金属等の導電性材料（例えば、アルミニウム）で構成されており、車体に固定されることにより当該車体を介して間接的に、電源である車載発電機（不図示）のグランド端子に電気的に接続される。また、筐体１００が車体に固定されることにより、回路基板１０２上の制御回路の動作に伴って筐体１００内部で発生する熱は車体に向かって効率的に発散されるので、制御装置１０全体としての放熱性が向上し、筐体１００や回路基板１０２における機械的歪の発生量が軽減される。
【００２８】
回路基板１０２上には、支持部１０４ａ、１０４ｂ、１０６ａ、１０６ｂと接触する位置に、後述するグランドパターン２２０、２２２が形成されており（図２）、当該グランドパターン２２０、２２２と、筐体１００の一部をなす支持部１０４ｂ、１０６ｂとが加圧接触することにより、当該グランドパターン２２０、２２２が上記電源のグランド端子に電気的に接続される。
【００２９】
また、回路基板１０２上には、外部コネクタ１１０（図１Ａ）と制御回路を構成する電気部品（不図示）とが搭載されており、外部コネクタ１１０を介して、上記電源からの電力供給と他装置（不図示）との間の情報伝送が行われる。
【００３０】
次に、図２を参照して回路基板１０２の構成について説明する。図２は、回路基板１０２の構成を説明するための平面図であり、図１Ｂに示す制御装置１０のＴＴ矢視図である。
【００３１】
回路基板１０２は、図示点線と実線とにより示された領域に広がる矩形状基板である。回路基板１０２の図示左右の辺の近傍は、それぞれ、支持部１０４ａと１０４ｂとの間、及び支持部１０６ａと１０６ｂとの間に把持されて固定されている部分であり（図１Ｂ参照）、その把持部分の平面領域が、図２において格子を付して示す把持領域２１０及び２１２である。
【００３２】
回路基板１０２上にはグランドパターン２２０及び２２２（図示一点鎖線の矩形）が形成されており、グランドパターン２２０及び２２２の一部は、それぞれ把持領域２１０及び２１２と重なり合っている。したがって、この重なり部分において、グランドパターン２２０と支持部１０４ｂとの間、及び、グランドパターン２２２と支持部１０６ｂとの間が接触して、互いに電気的に接続される。ここで、支持部１０４ｂ及び１０６ｂは、車体を介して電源のグランド端子に接続されている筐体１００の一部であるので、上記重なり部分における接触を介して、グランドパターン２２０及び２２２が上記電源のグランド端子に接続されることとなる。
【００３３】
なお、グランドパターン２２０及び２２２は、回路基板１０２の表面（図示の面を表面とする）ではなく裏面に設けてもよく、この場合には、グランドパターン２２０及び２２２は支持部１０４ａ及び１０６ａとそれぞれ接触するものとすることができる。また、回路基板１０２の表面に形成したグランドパターン２２０及び２２２に加えて、回路基板１０２の裏面にも別のグランドパターンを設けて、当該別のグランドパターンを支持部１０４ａ及び１０６ａと接触させるようにしてもよい。
【００３４】
回路基板１０２には、さらに、把持領域２１０、２１２の外周の一部に沿って、把持領域２１０、２１２より基板内側の領域に、回路基板１０２の表面から裏面まで貫通する貫通孔であるスリット２３０、２３２、２３４、及び２３６が設けられている。また、スリット２３０〜２３４は、当該各スリットの外周の一部が把持領域２１０、２１２の外周に接するように形成されている。
【００３５】
一般に、回路基板を機械的構造物により把持して固定する構成においては、当該構造物及び回路基板の温度が変化すると、上記構造物と回路基板との線膨張係数等の違いから、回路基板のうち上記構造物により把持されている領域の外周部に応力が集中して発生する。
【００３６】
上記の構成を有する回路基板１０２は、把持領域２１０、２１２の外周に沿って当該外周に接するように貫通孔であるスリット２３０〜２３４が形成されている。このため、把持領域２１０、２１２の外周部に発生した応力は、貫通孔であるスリット２３０〜２３４によりその一部が解放されて緩和されることとなる。その結果、把持領域２１０、２１２において当該応力に起因して発生する支持部１０４ａ、１０４ｂ、１０６ａ、１０６ｂと回路基板１０２との相対的な位置ずれは減少し、当該領域におけるグランドパターン２２０、２２２の摩耗が抑制され、当該摩耗により発生する金属粉を原因とする回路動作の異常（例えば、回路のショート）の発生が回避される。
【００３７】
なお、本実施形態では、把持領域２１０、２１２の外周に沿って当該外周に接するように貫通孔であるスリット２３０〜２３４が形成されるものとしたが、これに限らず、スリット２３０〜２３４は、その外周の一部が、把持領域２１０、２１２の外周部に発生する応力が及ぶ距離範囲内に配されている限り、当該応力を効果的に低減することができる。当然のことながら、スリット２３０〜２３４は、その外周の一部が把持領域２１０、２１２に近いほど、応力の低減効果は大きい。
【００３８】
すなわち、スリット２３０〜２３４は、その外周の一部が、把持領域２１０、２１２から所定の距離範囲に配されるように形成することができ、当該所定の距離範囲は、把持領域２１０、２１２から生ずる応力が及ぶ範囲とすることができる。なお、当該所定の距離範囲をどの程度とするかは、例えば、把持領域２１０、２１２からスリット２３０〜２３４の外周までの距離を種々設定した回路基板を試作して、所定の温度範囲において回路基板と把持領域２１０、２１２との間に摺動が生ずるか否か等の確認実験を行うことにより、決定することができる。
【００３９】
また、本実施形態では、回路基板１０２上のグランドパターン２２０、２２２を含めて、回路基板１０２が支持部１０４ａ、１０４ｂ、１０６ａ、１０６ｂにより把持されて固定される構成となっているが、回路基板１０２上のグランドパターン２２０、２２２のない部分のみを、支持部１０４ａ、１０４ｂ、１０６ａ、１０６ｂにより把持して回路基板１０２を固定するものとすることもできる。
【００４０】
このような場合でも、スリット２３０〜２３４により把持領域２１０、２１２の外周部に発生する応力が緩和されることにより、支持部１０４ａ、１０４ｂ、１０６ａ、１０６ｂと回路基板１０２との相対的な位置ずれは減少し、把持領域２１０、２１２における回路基板１０２の素材そのものの摩耗が抑制され、当該摩耗により発生する粉体を原因とする回路動作の異常（例えば、回路接点への粉体付着による接点接触の不良）の発生が回避される。なお、上記構成においては、グランドパターン２２０、２２２と電源グランドとの接続は、例えば、筐体１００内に支持体１０４ａ等とは別個に板バネ状導体を設けておき、当該板バネ状導体とグランドパターン２２０、２２２を接触させることにより行うことができる。
【００４１】
また、回路基板１０２に設けるスリット２３０〜２３６は、把持領域２１０、２１２の外周に沿って当該外周に接するよう形成されている限りにおいて、当該外周の任意の位置に設けることができ、これにより、当該外周に発生する応力の一部を緩和して上記摩耗低減等の効果を奏することができる。
【００４２】
ただし、本実施形態のように、支持部１０４ａ、１０４ｂと１０６ａ、１０６ｂとを締結して回路基板１０２を把持領域２１０、２１２において加圧する締結部たるネジ１０８ａ〜１０８ｄを備える構成においては、当該締結部たるネジ１０８ａ〜１０８ｄに最も近い把持領域２１０、２１２の外周部分に、最も大きな応力が発生することとなる。
【００４３】
このため、本実施形態では、締結部たるネジ１０８ａ〜１０８ｄに最も近い把持領域２１０、２１２の外周部分と接するように、それぞれ、スリット２３０〜２３６を形成し、最も大きな応力が発生する位置にスリットを設けることで、効果的に応力を緩和している。
【００４４】
すなわち、回路基板を把持する支持体を締結する締結部が存在する場合には、応力解放の効果を最大化する観点から、回路基板に設けるスリットは、把持領域の外周のうち上記締結部に最も近い外周部分に接するように形成されことが望ましい。
【００４５】
また、本実施形態では、回路基板１０２を把持するための支持体である支持部１０４ａと１０４ｂの形状は同一であり、かつ、支持部１０６ａと１０６ｂの形状も同一であるものとしたが、これら支持体の形状は回路基板の表面及び裏面において必ずしも同一形状を有する必要はない。このように回路基板を把持する２つの支持体の形状が異なる場合には、回路基板上の把持領域は、一の支持体と回路基板の一の面との接触領域と、他の支持体と回路基板の他の面との接触領域とを、互いに相手の面に投影したときに、それぞれの面において上記投影された領域と上記接触領域とが重なりあう領域として定義される。
【００４６】
また、本実施形態では、回路基板１０２を把持する支持部１０４ａ、１０４ｂ、１０６ａ、１０６ｂの全てが導体であるものとしたが、少なくとも一の支持部のみを導体として、当該導体である支持部により回路基板上のグランドパターンと電源との電気的接続が行われるものとしてもよい。
【００４７】
さらに、本実施形態では、回路基板に設けるスリットとして直線状に延びた矩形状の貫通孔を用いたが、スリットの形状は、これに限らず、その外周の一部が当該回路基板上の把持領域の外周の一部と接するように形成される限りにおいて、任意の形状とすることができる。
【００４８】
図３は、本発明に従う回路基板に設けられるスリットの形状の例を示す図である。図３Ａに示す例では、回路基板３０２の４か所に把持領域３０４ａ〜３０４ｄがあり、各把持領域の外周の一部と接するように、矩形状の４つのスリット３０６ａ〜ｄが設けられている。このように、回路基板上に複数の独立した把持領域が存在する場合には、各把持領域毎にスリットを設けることができる。また、必ずしも全ての把持領域にスリットを設ける必要はなく、各把持領域における応力緩和の必要性に合わせて、応力緩和が必要な把持領域に対してのみスリットを設けることができる。
【００４９】
図３Ｂに示す例では、把持領域３１０が回路基板３０８の３つの辺に沿ってＵ字形状で構成されており、把持領域３１０の直線部分の一部に矩形状のスリット３１２ａと３１２ｂが設けられ、把持領域３１０の二つの角部、従って、回路基板３０８の二つの角部に、それぞれ、把持領域３１０の外周に沿ってＬ字形状のスリット３１４ａと３１４ｂが設けられている。このように、多角形の回路基板の角部が把持されている場合には、当該角部において、力の方向が異なる複数の応力が重なって発生することとなるので、当該角部にスリットを設けることにより、応力を効果的に緩和することができる。なお、スリットは、回路基板の全ての角部に設ける必要はなく、把持領域における応力緩和の必要性に応じて、適宜、スリットを設ければよい。
【００５０】
図３Ｃに示す例では、回路基板３１６の４か所にある把持領域３１８ａ〜３１８ｄのそれぞれに対し、長円形のスリット３２０ａ〜３２０ｄが設けられている。図３Ａに示した矩形状のスリット３０６ａ〜ｄのようにスリットが角部を有する場合には、スリット内周に沿って発生する応力は当該角部に集中し、当該角部に亀裂等の機械的損傷を発生しやすくなる。一方、図３Ｃに示すような長円形のスリット３２０ａ〜３２０ｄでは、そのような角部がないことからスリット内周における応力は分散され、機械的損傷は発生しにくくなる。なお、図３Ｃでは一例として長円形のスリットを示したが、スリットの形状はこれに限らず、角部を有さない限り任意の形状とすることができる。例えば、長円形に代えて、面取りした矩形や三角形とすることができる。また、このように角部が全く無い形状でなくても、例えば、直線と円弧とを組み合わせて角部の数を減らした形状を用いることにより、角部の数が減少する分、亀裂の発生確率を減少させることができる。
【００５１】
以上説明したように、本実施形態に係る回路基板は、機械的構造物である支持部によって把持されて固定される把持領域の外周部分に沿って貫通孔であるスリットが設けられており、当該スリットの外周部の一部は把持領域の外周と接するように形成されている。これにより、本回路基板は、温度変化等に伴って上記把持領域に生ずる応力をスリットにより緩和し、回路基板と支持部との相対的な位置ずれの発生を抑制することができる。その結果、上記把持領域における回路基板の摩耗（回路パターン及び又は基板素材自体の摩耗）を抑制して、当該摩耗により生ずる粉体に起因した回路動作の異常を回避することができる。
【符号の説明】
【００５２】
１０・・・制御装置、１００・・・筐体、１００ａ・・・ベース、１００ｂ・・・カバー、１０２、３０２、３０８、３１６・・・回路基板、１０４ａ、１０４ｂ、１０６ａ、１０６ｂ・・・支持部、１０８ａ〜ｄ・・・ネジ、１１０・・・外部コネクタ、２１０、２１２、３０４ａ〜ｄ、３１０、３１８ａ〜ｄ・・・把持領域、２２０、２２２・・・グランドパターン、２３０、２３２、２３４、２３６、３０６ａ〜ｄ、３１２ａ、３１２ｂ、３１４ａ、３１４ｂ、３２０ａ〜ｄ・・・スリット
【図１】
0005632898.tif 000002
【図２】
0005632898.tif 000003
【図３】
0005632898.tif 000004